(57)【要約】      （修正有）【課題】複数の時間帯、複数のチャンネル、および複数の動作パターンを以って、ＯＮ出力動作をそれぞれ独立して設定・出力させることができ、連続動作や間欠動作など制御要求や、出力負荷のアクチュエータの種類の応じた、複数の動作バリエーションを有するタイマー動作を低消費電力で実行可能なプログラムタイマーを提供する。【解決手段】ＯＮするチャンネル、動作モード、波形パターンを基本のフラグとする、他複数フラグと優先順位が設定されたプログラムＮｏ．による正の論理和のアルゴリズムにより、複数の時間帯、複数のチャンネル、および複数の波形パターンでのＯＮ出力が、それぞれ独立して設定・出力可能とした。また、表示器の表示・点灯を、スイッチもしくは外部入力信号によりＯＦＦする仕組みにより、定常時の消費電力を低減可能とした。【選択図】図１
2017102079.tif 000002
【特許請求の範囲】
【請求項１】
操作手段、制御手段、表示手段、複数のプログラムが記憶可能な記憶手段、複数の出力チャネルを持つ出力手段を有し、使用者が単位周期の中で、実行または停止する時間を入力することで、前記出力手段からの出力の実行と停止を行うプログラムタイマーにおいて、複数のプログラムの個々に対応させることが可能な、出力動作パターンの選択手段、記憶手段、および制御手段を具備するプログラムタイマー。
【請求項２】
前記出力動作パターンに応じて、それぞれに付随するパラメータを設定する設定手段を具備する請求項１記載のプログラムタイマー。
【請求項３】
前記制御手段によって、ある一つの前記出力手段から出力される、前記出力動作パターンが、設定した時間帯ごとに自動で切り替わる演算手段を具備する請求項１または２に記載のプログラムタイマー。
【請求項４】
前記複数出力チャンネルが、同一時間帯で同時に実行に設定された際に、前記制御手段によって、前記出力手段から出力される、前記出力動作パターンが、チャネルごとに異なって、独立に実行可能な演算手段を具備する請求項１〜３のいずれかに記載のプログラムタイマー。
【請求項５】
外部信号の入力手段を具備し、これと前記操作手段に連動して全体のプログラム動作の切り替えが可能な切り替え手段を具備する請求項１〜４のいずれかに記載のプログラムタイマー。
【請求項６】
外部信号の入力手段を具備し、これに連動して、または前記操作手段により前記表示手段の表示が切り替え可能な切り替え手段を具備する請求項１〜５のいずれかに記載のプログラムタイマー。
【発明の詳細な説明】
【技術分野】
【０００１】
本発明は、使用者が単位周期のうち希望する複数の時間帯で、ON/OFF動作を複数出力繰り返して実行するプログラムタイマー装置において、出力動作パターンの多様化と低消費電力化を図る技術に関するものである。
【背景技術】
【０００２】
例えば、屋上緑化や、芝生の育成、打ち水などの自動散水システムには、スプリンクラーなどの散水栓を、時間制御で開け閉めする。
【０００３】
このような場合、機器に配置された押しボタンなどの操作手段で設定入力してプログラムすることにより、使用者が希望する時間に、自動的にＯＮ/OFFし、これを単位周期で繰り返す複数出力チャネルを持った特許文献１に代表されるようなプログラムタイマーを利用して、散水栓を駆動する。
【０００４】
しかしながら、散水する時間帯は、散水する対象によって散水栓が常に開いたまま連続的に散水する場合だけでなく、短い時間で散水栓を開け閉めするような間欠散水を行う場合もあり、これを実現するために、一台のプログラムタイマーの後段に、間欠的なパルス信号を発生させる機器を取り付ける、もしくは、出力動作パターンの異なる複数台のプログラムタイマーを使用している。
【０００５】
また、電気的信号で散水栓を開け閉めする場合、アクチュエータとしてソレノイドを有する電磁弁が利用されるが、連続通電式とラッチ式が存在し、ラッチ式の場合は、短い一つのパルスで弁を開け閉めするため、従来のプログラムタイマーでは、ONとOFFの切り替わり時にパルスを発生させるような別の機器を後段に取り付けていた。
【０００６】
プログラムタイマーの動作パターンを切り替える一例としては、特許文献２に示すように、ONに設定された時間帯の出力動作パターンが、スタティックもしくは、パルスの２種類を以ってスイッチによって一括手動で切り替えている。
【０００７】
プログラムタイマーのプログラム制御方式としては、特許文献４に示すように、出力手段の出力チャンネル数が１つの場合で、記憶手段に複数テーブルの記憶領域を持ったプログラムタイマーが存在し、プログラムテーブルの優先性は、後の時間に設定されたものが優先的に出力される。この動作としては、ON時間に音声出力を設定回数出力するものがある。  
【０００８】
また、プログラムタイマーの単位周期で繰り返す通常の制御に対し、特異的な制御の一例としては、特許文献３に代表されるように、予めプログラムが無効になる時間帯を設定しておき、操作手段のボタンスイッチによりその無効になる設定を有効にするか無効にするかの手法がなされている。
【０００９】
さらに、特許文献１乃至特許文献４に代表されるように、従来プログラムタイマーによる液晶や発光ダイオード表示器など、使用者に状況や設定値を視認させるための表示手段は、常時表示点灯されている。
【先行技術文献】
【特許文献】
【００１０】
【特許文献１】特開２００６−２５０８０５
【特許文献２】特開平１−２１２３８８
【特許文献３】特開平９−５４６２
【特許文献４】特開２００６−２０８１０５
【発明の概要】
【発明が解決しようとする課題】
【００１１】
しかしながら、上記のような従来のプログラムタイマーでは、ONに設定された時間帯では、常にON信号が出力されるスタティックな単一の出力動作パターンで出力される、もしくは、スイッチなど手動による切り替え手段により、スタティックもしくはパルスのような二つの出力動作を切り替える出力動作であったため、単一の出力チャンネルにおける複数の時間帯で、出力動作のパターンを自動的に切り替えて出力させることができなかった。そのため、接続される機器が、散水栓の弁などの場合、時間によって連続ON散水動作や間欠動作などのパターンを変えた制御ができなかった。
【００１２】
また、従来のプログラムタイマーでは、出力チャンネルごとに独立した出力動作パターンで動作することができなかったため、同一時間に複数出力チャンネルのON設定を行った場合、一つのプログラムタイマー装置で、連続ON動作を要する機器とパルス動作を要する機器を、1台のプログラムタイマーを使って制御することができなかった。
【００１３】
次に、従来のプログラムタイマーでは、外部入力で内部プログラムの有効／無効を切り替えることが出来ないため、非制御体が実行するに相応しくない状況をセンサ等で検知できる状況でも、プログラムを実行しないという制御ができなかった。
【００１４】
さらに、従来のプログラムタイマーでは、人間がプログラムタイマーを視認できない状態にあっても常に表示器の表示がなされ、これが無駄な電力になっていた。
【課題を解決するための手段】
【００１５】
そこで、本願は、次のような手段を講じるような技術を提供するものである。
【００１６】
操作手段、表示手段、複数のプログラムが記憶可能な記憶手段、複数の出力チャネルを持つ出力手段を有し、使用者が単位周期の中で、実行または停止する時間を入力することで、前記出力手段からの出力の実行と停止を行うプログラムタイマーにおいて、複数のプログラムの個々に対応させることが可能な、出力動作パターンの選択手段、記憶手段、および制御手段を具備することに特徴を有する。
【００１７】
次に、本発明のプログラムタイマーは、前記出力動作パターンに応じて、それぞれに付随するパラメータを設定する設定手段を具備することに特徴を有する。
【００１８】
したがって、本発明のプログラムタイマーは、前記制御手段によって、ある一つの前記出力手段から出力される、前記出力動作パターンが、設定した時間帯ごとに自動で切り替わる演算手段を具備することに特徴を有する。
【００１９】
また、本発明のプログラムタイマーは、前記複数出力チャンネルが、同一時間帯で同時に実行に設定された際に、前記制御手段によって、前記出力手段から出力される、前記出力動作パターンが、チャネルごとに異なって、独立に実行可能な演算手段を具備することに特徴を有する。
【００２０】
また、本発明のプログラムタイマーは、外部信号の入力手段を具備し、これと前記操作手段に連動して全体のプログラム動作の切り替えが可能な切り替え手段を具備することに特徴を有する。
【００２１】
さらに、本発明のプログラムタイマーは、外部信号の入力手段を具備し、これに連動して、または前記操作手段により前記表示手段の表示が切り替え可能な切り替え手段を具備することに特徴を有する。
【発明の効果】
【００２２】
よって本発明は、以下のような効果を示す。
【００２３】
まず、ある一つの出力チャンネルに接続された負荷を、プログラムによりONに設定された時間帯に様々なパターンでの動作が可能である。これを実現するために、ある一つの出力チャネルの後段に異なる出力動作を実施する機器とその切り換えを行う機器を別で設け、複数出力チャンネルを利用して制御するなどの必要がなく、余計な配線と機器の設置が省けるため、省スペースな制御システムを構成できる。
【００２４】
例として散水制御に利用された場合、連続散水と間欠散水を自動で切り替えることができるため、散水する場所の状況に応じた制御が可能である。
【００２５】
次に、それぞれの出力チャンネルに取り付けるアクチュエータ等の負荷の制約や制御の条件等により、出力動作パターンを出力チャンネルごとに変えて動作させたい場合でも、複数のプログラムタイマーを設置したり、単独のプログラムタイマーの特定の出力の後段に出力動作パターンを変換する機器を別で設けたりする必要がなく、全体的に省スペースな制御システムを構成できる。
【００２６】
また、センサ等で外部の状況を検知し、それに応じてプログラムの有効・無効を制御できる。これにより、不必要な消費電力が発生せず、機器および制御系全体の消費電力を低減することができる。
【００２７】
さらに、前記表示手段の不必要な消費電力が発生せず、機器全体の消費電力を低減することができる。
【００２８】
これにより、常に電源が外部から供給されない、バッテリー駆動の制御システムで、駆動時間を長くすることが可能である。さらには、バッテリーの放電、充電の繰り返し頻度が低減されるため、バッテリーの寿命を延ばすことが可能である。
【図面の簡単な説明】
【００２９】
【図１】図１は、プログラムタイマーを前方から全体的な構造、形状を示した説明図である。（実施例１）
【図２】図２は、プログラムタイマーを前方から見たとき、操作面のボタン、スイッチ、液晶表示器の配置を示した説明図である。（実施例１）
【図３】図３はプログラムタイマー内部の部品の組み立て配置を示した説明図である。（実施例１）
【図４】図４はプログラムタイマーの液晶表示器の通常時における表示内容の一例を示した説明図である。（実施例１）
【図５】図５はプログラムタイマーの液晶表示器の主要なプログラム設定を行う時の、１ページ目の表示内容の一例を示した説明図である。（実施例１）
【図６】図６はプログラムタイマーの液晶表示器の主要なプログラム設定を行う時の、２ページ目の表示内容の一例を示した説明図である。（実施例１）
【図７】図７はプログラムタイマーの液晶表示器の主要なプログラム設定を行う時の、３ページ目の表示内容の一例を示した説明図である。（実施例１）
【図８】図８はプログラムタイマーのプログラム保存メモリーの構造を示した説明図である。尚、実際の電気的データは、図８と同様の配列で格納されているとは限らず、あくまでも、保存の概念を示したものである。（実施例１）
【図９】図９はプログラムタイマーのプログラム実行時のフローチャートを示した図である。（実施例１）
【図１０】図１０はプログラムタイマーのプログラム実行時のフローチャート図９のサブルーチンである、カレンダー・時計データとプログラム登録データの比較のフローチャートを示した図である。（実施例１）
【図１１】図１１は、プログラムの一連の実行における、タイミングチャートを示した図である（実施例１）。
【発明を実施するための形態】
【実施例１】
【００３０】
図１に、本発明の一実施形態によるプログラムタイマー１００の外観を示す。プログラムタイマー本体は、箱型形状をなしている。このプログラムタイマー１００の操作手段と表示手段を有する操作面１０１を正面としたとき、側面に出力手段である、信号を入出力し、また電源を供給するための入出力端子コネクタ１０２が存在する。
【００３１】
図２には、操作面１０１の配置例を示す。操作面１０１の上側領域には、専ら表示手段が設けられている。具体的には、制御手段によって複数ページの表示切り替えができる液晶表示器１を具備し、液晶表示器１の液晶表示のON/OFF、バックライト点灯のON/OFF、外部入力信号によるこれらの表示・点灯のON/OFFを切り替えることができる液晶バックライト表示スイッチ２、液晶の表示の濃淡を調節する液晶表示強度調節つまみ３を具備する。
【００３２】
操作面１０１の中ほどには、週間プログラム設定時に押すことで、ON出力を有効にする曜日を設定することが可能な、曜日設定ボタン４、プログラム設定モードで入力の選択やカーソルの移動を実行する十字キー１０を具備する。
【００３３】
操作面１０１の下領域には、各出力チャンネルの強制出力ON/OFFおよびプログラムを有効とする３ステートの、出力切り替えスイッチ５、外部センサによるプログラムの有効/無効を切り替える外部センサ切り替えスイッチ６、プログラムを設定するモードとプログラムを実行するモードを切り替える、実行切り替えスイッチ７、プログラム設定モードで入力の確定やプログラムの登録を実行する実行ボタン８、および、プログラム設定モードで入力の消去やプログラムの消去を実行する消去ボタン９を具備する。
【００３４】
他の実施例としては、装置の小型化を優先するために、液晶バックライト表示スイッチ２、曜日設定ボタン４、出力切り替えスイッチ５、外部センサ切り替えスイッチ６、実行切り替えスイッチ７などの操作手段を一部省いて、液晶画面上で、ソフトウェアにて表示設定できるようにし、十字キー１０と実行ボタン８により設定できる形態としてもよい。また、液晶バックライト表示スイッチ２を残して、他の操作手段をすべてタッチパネル液晶ディスプレイで行う手段でも可能である。
【００３５】
図３に、本発明の一実施形態によるプログラムタイマー１００のハードウェアの内部構成を示す。制御手段である制御用IC、時計IC、および、記憶手段であるメモリーICを搭載した、CPU入出力基板１１の上に、押しボタンスイッチ基板１２、および液晶表示器基板１３が接続される形で本体内部に収納されている。
【００３６】
図４に、本発明の一実施形態による１００の液晶表示器１の通常時の表示例２１を示す。通常時は、制御用ICからの通信により、日付２２、曜日２３、時刻２４が表示され、各出力チャンネルの出力状態２５が表示されている。出力チャンネルの状態の表示は、使用者が、その時の出力パターンやON/OFFの状態を、即座に認識できる文字や記号で示される。
【００３７】
図５、図６および図７は、本発明の一実施形態によるプログラムタイマー１００の液晶表示器１のプログラム設定時の表示例２６、３３、および４０を示す。表示例２６は、実行切り替えスイッチ７を設定モードに切り替えることにより表示される。プログラム設定時の表示は、液晶表示器１の表示スペースと視認性によるため、３ページ構成に限定されない。
【００３８】
１ページ目の実施例２６には、プログラムNo.表示２７、週間プログラムもしくは、月間プログラム、もしくは、年間プログラムのいずれかの単位周期を示す、単位周期パターン表示２８、ONに設定された時間帯の出力信号のパターンを示す、出力動作パターン表示２９、プログラムを有効にする出力チャンネルを示す出力チャンネル表示３０、週間プログラム、もしくは、月間プログラムの場合、プログラムを有効にする曜日を示す曜日表示３１、次ページへの移動を促す２ページ目移行表示３２から構成される。
【００３９】
プログラム設定時の表示２ページ目の実施例３３としては、プログラムON時間３４、プログラムのOFF時間３５、その間に発生するパルスのONデューティー時間３６、OFFデューティー時間３７、前ページへの移行を促す１ページ目戻り表示３８、および次ページへの移行を促す３ページ目移行表示３９から構成される。
【００４０】
プログラムは設定したON時間とOFF時間の間で、出力動作パターンの設定に応じた出力動作をするが、ON時間とOFF時間の間、出力信号が常に２値出力のスタティックな出力動作をするパターンでは、デューティーサイクルの時間設定の必要がないため、ONデューティー時間３６、OFFデューティー時間３７は、出力動作パターン表示２９をここでは、NORMALに設定することで、２ページ目の表示から消える。同様に、ONとOFFの設定時間に１ショットパルスをそれぞれ出力するパルスパターンの際は、１ショット分のパルス幅のみ設定すればよいため、この場合も同様に、３７の表示が消える。
【００４１】
プログラム設定時の表示３ページ目の実施例４０としては、プログラムが有効となるシーズンを示すシーズン表示４１、および前ページへの移行を促す２ページ目戻り表示４２から構成される。シーズン表示４１は、他のページでシーズンの括りとなる月を設定しておき、有効となるシーズンの数字の上に十字キー１０でカーソルを合わせて、有効無効を設定する。このとき、有効の場合は数字がそのまま表示され、無効の場合は数字が消える。
【００４２】
他の実施例としては、４つの括りのシーズン設定ではなく、１から１２の月間設定としてもよい。
【００４３】
前記項目００３７乃至項目００４２のプログラム設定時の表示例２６、３３、および４０で示した、３ページ分の設定項目は、１つのプログラムNo.に対し、１項目ずつ割り当てられており、カーソルをプログラムNo.表示２７の数字の上で実行ボタン８を長押しすることで、内部のメモリーICに書き込まれる。
【００４４】
図８に登録されるプログラムデータのメモリーICの構成を示す。前記項目００４３で示した通り、メモリーデータ格納の概念は、メモリー内部で1ページごとにbyte0から19の括りで、項目ごとにデータが書き込まれており、プログラム設定時の読み込み、および書き込み動作で、ページごとにデータがやり取りされる。つまり、前記プログラム設定時の表示例の３ページ分のデータが、メモリーの1ページのデータに該当する。
【００４５】
図９に本発明のプログラムタイマー１００における実行動作の主たるプログラムフローチャートを示す。プログラムタイマー１００が実行動作をしている時は、液晶表示器１は、通常時の表示例２１にあるような表示状態である。制御用ICの処理は、実行動作では全体的に無限ループS2で動作しており、その間、各フラグの初期化S3、カレンダー・時計データの読み込みS4、ループ2 S5内のプログラム登録データの読み込みS6、カレンダー・時計データとプログラム登録データの比較S7、チャンネル出力状態の算出S8、スイッチ入力状態の読み込みS9、強制スイッチ入力による条件分岐S10、および、プログラム出力S11もしくは、スイッチ出力S12の一連の処理を繰り返している。以下、タイマー動作を詳述する。
【００４６】
実行動作では、まず、無限ループS2中で、各フラグの初期化S3が行われる。ここでは、それぞれ初期値０が与えられる。
【００４７】
次に、時計ICより、西暦、月、曜日、日、時間、分、秒、およびこれらより計算されたシーズン値らのカレンダー・時計データの読み込みS4を実施する。
【００４８】
カレンダー・時計データの読み込みS4の後、ループ2 S5中で、図８で示した、20のプログラム登録データをプログラムNo.99から一つずつ読み込むS6。ここでは、一例として総プログラム数を100としたが、限定せず、制御用ICの処理速度に応じた値に設定するものとする。
【００４９】
S6の処理の次に、カレンダー・時計データとプログラム登録データの比較S7が行われる。本願で詳述すべきS7に関し、図10に図9のサブルーチンとして示す。このサブルーチンでは、複数のフラグが戻り値として得られるものとする。
【００５０】
カレンダー・時計データとプログラム登録データの比較S7で戻り値として得られるフラグの一つが、メインルーチンが行われたあるタイミングで、その時設定されていたプログラムが、実行すべき時間帯に該当するか否かを示す実行フラグである。時間帯に該当するか該当しないに応じて、１/０の判定値が得られる。
この実行フラグを判定するプログラムは、S13からS26までのルーチンに該当する。
【００５１】
次に前記項目００５０に続き、S7で戻り値として得られるフラグの一つが、登録された複数プログラムの優先性を決める優先性フラグである。本発明のプログラムタイマーでは、一例として、０から９９までの合計１００プログラムとしているが、同時刻に複数のプログラムで同じ出力チャンネルがON設定で登録された場合、正の論理和の条件の下に動作する。すなわち、ON設定を優先とし、OFF設定の優先を認めていない。よって、優先性フラグは、S5ループ内のサブルーチンS7内において、オンするチャンネル情報との論理和S21を以って値を更新していくことで、９９から００までのプログラムを降順にてループで全てスキャンした時に、図９のプログラムを実施したタイミングでのONすべき出力チャンネルNo.を求められる。
【００５２】
次に前記項目００５０項目００５１に続き、S7で戻り値として得られるフラグの一つが、その時に設定されたパターンによる出力を決定するパターン決定フラグである。実行フラグおよび優先性フラグによって、プログラムを実行すべき時間帯の該当性、および、その時にONすべき出力チャンネルのNo.が決定していても、パルス出力の場合は、その動作パターンに応じては、ONデューディーに該当する場合はONを、OFFデューティーに該当する場合はOFFを判定しなければならない。それを決めるのがパターン決定フラグである。S23および、S25において、各プログラムNo.における各パターンの条件の下にパルスのONタイミングであれば、パターン決定フラグにその時ONするチャンネルの情報が代入される。
【００５３】
ループ処理S5の後、出力切り替えスイッチ５によるONおよびOFFの状態の読み込みS9が行われる。出力切り替えスイッチ５がONもしくはOFFの強制スイッチ出力に設定された場合、これが優先してプログラムの計算は無視され、スイッチで選択された、ONもしくはOFFのいずれかの出力値が得られS11、これが入出力端子コネクタ１０２から出力される。
【００５４】
また、出力切り替えスイッチ５がプログラム設定であった場合、S3からS8の処理によって得られた各フラグの正の論理和を以って計算された出力値が得られS12、これが入出力端子コネクタ１０２から出力される。
【００５５】
外部入力信号による内部プログラムの有効／無効の切り替えに関しては、図２の６の、外部センサ切り替えスイッチ６を、有効設定にすると、入出力端子コネクタ１０２のある１端子に印加された２値のデジタル信号により、前記００４６至項目００５２の実行動作の判定を有効にするか、無効にして全出力チャンネルをOFFにするかが切り替え可能である。
【００５６】
また、別画面で、連続的なアナログ電圧値でONとOFFの閾値を設定できるようにし、センサの種類や管理する物理量に応じた設定をすること、また、前記００５５デジタル設定と切り替えできるようにする手段も有する。
【００５７】
スイッチによる表示器の液晶表示のON/OFFに関しては、３ステートの液晶バックライト表示スイッチ２により、液晶表示器１の表示/非表示、バックライト点灯/非点灯、外部入力信号によるこれらの表示・点灯のON/OFFを切り替えるものである。図２に記載の実施例としては、３ステートのスライドスイッチのうち、ノブを右端に設定すると、液晶表示器１の文字とバックライトが同時に表示・点灯する。ノブを中間位置に設定すると、液晶が表示されるものの、バックライトは消灯する。ノブを最も左に設定すると、液晶は非表示、バックライトは消灯する。このとき、外部入力による、前記二つの設定の待ち受け状態となる。
【００５８】
外部入力による液晶、バックライトの制御に関しては、
（１）液晶が表示され、バックライトが点灯するモード
（２）液晶が表示され、バックライトが消灯するモード
（３）液晶が非表示で、バックライトも消灯するモード
の３ステートを有するため、実施例１として、入出力端子コネクタ１０２のある２端子に印加する２値のデジタル信号により、２ビット、４ステートのうち３ステートを前記（１）乃至（３）の状態に割り当てられるものとする。特に、外部入力による制御を行わず、２端子に他の制御装置からの信号線を接続しない場合もあるため、２ビットのうち００は、前記（１）の設定に割り当てられるものとする。
【００５９】
図１１に、プログラムの一連の実行における、タイミングチャートを示す。図９、図１０にてプログラムのフローを示したが、これらの順序は、制御用ICの処理能力に応じて適宜入れ替えて組み立てることが可能である。各処理は、順序動作により行われ、厳密な意味では、時刻の変化に対して、全く同時に実行させることは不可能である。処理速度が、変化の最小時間単位に実行動作が影響されない場合、図１１(a)のように、フローチャートに従ったタイミングチャートによる処理が実施される。しかし、変化の最小時間単位に実行動作が影響される場合、実施の一手段としては、時刻の変化を検出し、それに応じて処理を組み立てて行くなかで、前もって、次の時刻の変化が発生したときの処理を演算しておき、時刻の変化を検出した次に出力動作処理する。
【００６０】
本発明においては、前述の通り、制御手段の実施例である制御用ICはソフトウェアプログラムを書き込むマイクロコンピュータを想定して説明したが、他の実施例として、同様の効果をソフトウェアでだけでなく、FPGA（Field Programmable Gate Array）のように、制御用ICの内部で演算回路が形成される形態としても良い。また、書き換え不可能な演算回路を有する制御用ICの形態としてもよい。
【符号の説明】
【００６１】
１００     プログラムタイマー
１０１     操作面
１０２     入出力端子コネクタ
１         液晶表示器
２         液晶バックライト表示スイッチ
３         液晶表示強度調節つまみ
４         曜日設定ボタン
５         出力切り替えスイッチ
６         外部センサ切り替えスイッチ
７         実行切り替えスイッチ
８         実行ボタン
９         消去ボタン
１０       十字キー
１１       CPU入出力基板
１２       押しボタンスイッチ基板
１３       液晶表示器基板
２１       通常時の表示例
２２       日付
２３       曜日
２４       時刻
２５       各出力チャンネルの出力状態
２６       プログラム設定時の表示例ページ１
２７       プログラムNo.表示
２８       単位周期パターン表示
２９       出力動作パターン表示
３０       出力チャンネル表示
３１       曜日表示
３２       ２ページ目移行表示
３３       プログラム設定時の表示例ページ２
３４       プログラムON時間
３５       プログラムのOFF時間
３６       ONデューティー時間
３７       OFFデューティー時間
３８       １ページ目戻り表示
３９       ３ページ目移行表示
４０       プログラム設定時の表示例ページ３
４１       シーズン表示
４２       ２ページ目戻り表示
４３       プログラム保存メモリーの構造
４４       データ領域
ある一つの前記出力チャンネルの前記出力動作パターンが、設定した時間帯ごとに自動で切り替わって実行させることができることを特徴とする、
【図１】
2017102079.tif 000003
【図２】
2017102079.tif 000004
【図３】
2017102079.tif 000005
【図４】
2017102079.tif 000006
【図５】
2017102079.tif 000007
【図６】
2017102079.tif 000008
【図７】
2017102079.tif 000009
【図８】
2017102079.tif 000010
【図９】
2017102079.tif 000011
【図１０】
2017102079.tif 000012
【図１１】
2017102079.tif 000013